(57)【特許請求の範囲】
【請求項１】
羽根車を設けた吸込み口と吐出口を備えたケーシングの環状縁部に開口を開設し、この開口には、モータ取付け板と、このモータ取付け板に設けた筒状フランジ部と、この筒状フランジ部に設けた鍔状フランジ部でなるフランジ体を設け、このフランジ体のモータ取付け板を介して前記モータを取付けるとともに、前記環状縁部と前記鍔状フランジ部との間に空間を形成し、この空間をシール材で密封するとともに、防振手段及び脱落防止手段を介して連繋する構成としたブロア駆動部の脱落防止機構において、
前記防振手段は、前記空間に設けられる弾性体と、この弾性体を取付ける取付け具で構成し、
また、前記脱落防止手段は、前記空間に設けられる剛性のブッシュとする構成としたブロア駆動部の脱落防止機構。
【請求項２】
請求項１に記載の防振手段と脱落防止手段を、前記開口に交互に配備する構成としたブロア駆動部の脱落防止機構。
【発明の詳細な説明】
【技術分野】
【０００１】
本発明は、工場等において、例えば、集塵装置のフード、又は溶接ヒュームの排気ダクトに設置されるブロアの振動防止、モータ等の脱落防止並びに装置の安全性の向上を意図したブロア駆動部の脱落防止機構に関する。
【背景技術】
【０００２】
従来、この種の集塵装置のフード、又は溶接ヒュームの排気ダクトに設置されるブロアとしては、図５、図６に示した構造が一般的であるので、その概要を説明する。この一例では、羽根車０１を設けた吸込み口０２と吐出口０３を備えたケーシング０４であって、このケーシング０４にモータ取付け用の開口００４を開設し、この開口００４を隔壁板０５で閉塞した後、この隔壁板０５の上にモータ取付け板００６を介してモータ０６を取付ける構造であり、前記隔壁板０５及び／又はモータ取付け板０６はボルト、ナット等の緊締具０７及び／又はパッキン０８等を介して取付けられている。このような構成であることから、振動及び／又は羽根車０１にダストが付着（ランダムに堆積）し、この羽根車０１がアンバランスを起こすとともに、ブロアが異常に振動することで、モータ０６のベアリングに過剰な負荷が掛かる。これにより、ベアリングの異常な磨耗及び／又は破損が発生する。そして、このモータ０６及び／又はベアリングの磨耗及び／又は破損により、羽根車０１が傾き、ベルマウス０９との接触による発熱及び／又は火災の発生が起こる最悪の状態となって、物的及び／又は人的な損失と、経済的なダメージが大きく、企業として取り返しのつかない状況が考えられる。さらに前記の如く、この羽根車０１がアンバランスを起こし、ブロアが異常に振動することで、このブロアを設置した装置全体が異常な振動を発生すること、またこの装置の損傷を引き起こす可能性がある。そして、このような状況が発生した場合には、前述と同様な問題が発生することが考えられる。
【０００３】
またこの種のブロアに関し、本発明が意図する構成の先行文献を調査した処、該当する文献は見当たらなかったが、一部で関連する文献として、特開平８−３４２３０号の「車載空気清浄器のブロアモータ固定装置」がある（文献（１）とする）。この文献（１）は、空気清浄器のケースにブロアモータ取付け用の透孔を形成し、この透孔の周縁にはこのブロアモータの周囲に形成した複数の舌片を、バヨネット手段により係止せしめる係止構造を設け、さらにこの係止構造により係止されたブロアモータの離脱を防止する離脱防止手段として取付けカバーを設けた構成であり、その目的は、取付けネジによる固定力を低くし、ブロアモータのケースに対する固定保持力を十分に確保し、しかも薄型にしてトランクビルトインタイプの空気清浄器として有利となり得る車載空気清浄器のブロアモータ固定装置を提供することにある。
【０００４】
【特許文献１】特開平８−３４２３０号
【発明の開示】
【発明が解決しようとする課題】
【０００５】
この文献（１）は、その目的の如く、舌片と受け面との係止及び／又は防振ゴムの構成を採用した小型で薄型のトランクビルトインタイプの空気清浄器として有利な構造である。しかし、この構造では、本発明が意図する工場用のブロアとして採用するには、強度面及び／又はシール面（密封面）での保証が十分でなく、現場での使用に問題を残す。また前述の簡易な構造では、振動とヒュームガスの発生する溶接箇所での採用には、正直な処、躊躇せざるを得ないところである。
【０００６】
上記に鑑み本発明は、駆動部（モータ及び／又は羽根車）の脱落防止を図りつつ、振動に対しても有益なブロア駆動部の取付け機構（脱落防止機構）を提供すること、又は防振、火災の発生を回避すること等を意図する。さらにケーシングに設けたモータ取付け用の開口に弾性体等を取付けることで、モータ及び／又は羽根車がアンバランスを起こし振動が増加しても、その振動がケーシング及び／又はブロアに取付けられている装置・機器類に伝わる振動を略１０分の１程度に抑えることを意図する。さらにブロア及び／又は装置の安全性の向上を図ることを意図する。
【課題を解決するための手段】
【０００７】
請求項１の発明は、駆動部の脱落防止を図りつつ、振動及び／又は損傷等に対しても有益なブロア駆動部の脱落防止機構を提供すること、モータ及び／又はベアリングの磨耗・破損及び／又は損傷・異常な負荷を回避すること、又は火災の発生を回避すること等を意図する。また脱落防止手段に振動容認用のスペースを形成し、振動を防振手段で吸収することを意図する。
【０００８】
請求項１は、羽根車を設けた吸込み口と吐出口を備えたケーシングの環状縁部に開口を開設し、この開口には、モータ取付け板と、このモータ取付け板に設けた筒状フランジ部と、この筒状フランジ部に設けた鍔状フランジ部でなるフランジ体を設け、このフランジ体のモータ取付け板を介して前記モータを取付けるとともに、前記環状縁部と前記鍔状フランジ部との間に空間を形成し、この空間をシール材で密封するとともに、防振手段及び脱落防止手段を介して連繋する構成としたブロア駆動部の脱落防止機構において、
前記防振手段は、前記空間に設けられる弾性体と、この弾性体を取付ける取付け具で構成し、
また、前記脱落防止手段は、前記空間に設けられる剛性のブッシュとする構成としたブロア駆動部の脱落防止機構である。
【０００９】
【００１０】
【００１１】
【００１２】
【００１３】
【００１４】
【００１５】
【００１６】
【００１７】
【００１８】
【００１９】
請求項２の発明は、請求項１の目的を達成すること、この目的を達成するのに最適な防振手段と脱落防止手段の構造を提供すること、この請求項１が意図する脱落防止と振動吸収の効果を発揮するのに最適な構成を提供すること等を意図する。
【００２０】
請求項２は、請求項１に記載の防振手段と脱落防止手段を、前記開口に交互に配備する構成としたブロア駆動部の脱落防止機構である。
【００２１】
【００２２】
【発明の効果】
【００２３】
請求項１の発明は、羽根車を設けた吸込み口と吐出口を備えたケーシングの環状縁部に開口を開設し、開口には、モータ取付け板と、モータ取付け板に設けた筒状フランジ部と、筒状フランジ部に設けた鍔状フランジ部でなるフランジ体を設け、フランジ体のモータ取付け板を介してモータを取付けるとともに、環状縁部と鍔状フランジ部との間に空間を形成し、空間をシール材で密封するとともに、防振手段及び脱落防止手段を介して連繋する構成としたブロア駆動部の脱落防止機構において、
防振手段は、空間に設けられる弾性体と、弾性体を取付ける取付け具で構成し、
また、脱落防止手段は、空間に設けられる剛性のブッシュとする構成としたブロア駆動部の脱落防止機構である。
【００２４】
従って、請求項１は、駆動部の脱落防止を図りつつ、振動及び／又は損傷等に対しても有益なブロア駆動部の脱落防止機構を提供できること、モータ及び／又はベアリングの磨耗・破損及び／又は損傷・異常な負荷を回避できること、又は火災の発生を回避できること等の特徴がある。また脱落防止手段に振動容認用のスペースを形成し、振動を防振手段で吸収できる利点がある。
【００２５】
【００２６】
【００２７】
【００２８】
【００２９】
【００３０】
【００３１】
【００３２】
【００３３】
【００３４】
【００３５】
請求項２の発明は、請求項１に記載の防振手段と脱落防止手段を、開口に交互に配備する構成としたブロア駆動部の脱落防止機構である。
【００３６】
従って、請求項２は、請求項１の目的を達成できること、この目的を達成するのに最適な防振手段と脱落防止手段の構造を提供できること、この請求項１が意図する脱落防止と振動吸収の効果を発揮するのに最適な構成を提供できること等の特徴がある。
【００３７】
【００３８】
【発明を実施するための最良の形態】
【００３９】
本発明の一例を説明する。
図面の説明をすると、図１は本発明の一例を示す一部欠截の正面図、図２は図１の断面図、図３は脱落防止手段の一例を示した拡大正面図、図４は防振手段の一例を示した拡大正面図、図５は従来のブロアの一例を示す正面図、図６は図５の断面図、図７はブロアと工場に設置された集塵装置のフード等各種の設備（装置）との関係を示す模式図である。
【００４０】
図面において、１は渦巻状のブロア用のケーシングで、このケーシング１は吸込み口２と吐出口３を備えている。そして、吸込み口２にはベルマウス４が設けられている。図中５は羽根車で、この羽根車５はケーシング１内で、吸込み口２に向かって開口し、かつベルマウス４にその羽根先が近接（僅かな隙間Ｓ）及び／又は被嵌するように設けられており、吸込み口２からの空気を確実（空気漏れを回避し）かつスムーズに羽根車５内に吸込み可能な構造となっている。
【００４１】
そして、このケーシング１の背面側１００にはモータ取付け用の開口７を開設し、この開口７に取付けリング８を介してフランジ体９を設ける。この取付けリング８及び／又は開口７の環状縁部７００との間に環状の空間１０を形成する。そして、このケーシング１の空気漏れ、又は空間１０からのケーシング１内への塵埃の侵入を防止するためにゴム製で弾性のシール材１１を充填する。このシール材１１は図３、図４に示すように基部と収歛部で構成し、この収歛部を取付けリング８に添接し、基部を後述するフランジ体９に当接する構造とし、確実かつ弾性を付与して空間１０に充填する。
【００４２】
尚、フランジ体９の好ましい一例を説明すると、このフランジ体９は開口７内に挿入される筒状フランジ部９００と、開口７の環状縁部７００に空間１０を置いて重畳される鍔状フランジ部９０１で構成し、この空間１０に防振手段１２及び／又は脱落防止手段１３を交互に設ける。
【００４３】
この防振手段１２としては、防振ゴム・防振ポリウレタン等の弾性体１２０をナット１２１（止具）とボルト１２２（軸体）を介して空間１０を構成する取付けリング８と鍔状フランジ部９０１に設ける。また取付けリング８を設けない構成では、開口７の環状縁部７００と鍔状フランジ部９０１に設ける。尚、ナット１２１とボルト１２２の取付け具は、他の固定手段でも可能である（他の場合も同様である）。
【００４４】
また、この脱落防止手段１３としては、金属等の剛性ブッシュ１３０をナット１３１とボルト１３２を介して空間１０を構成する取付けリング８と鍔状フランジ部９０１に設ける。また取付けリング８を設けない構成では、開口７の環状縁部７００と鍔状フランジ部９０１に設ける。尚、ナット１３１とボルト１３２は、他の固定手段でも可能である。そして、このブッシュ１３０と鍔状フランジ部９０１の間に弾性体１２０のへたりを見越したスペース１３３を設ける。またブッシュ１３０に螺孔を開設し、ナット１３１で固止することもあり得る。さらにスペース１３３は鍔状フランジ部９０１の一方及び／又は双方の何れでも可能である。この脱落防止手段１３を介して後述するモータの脱落防止と、前記隙間Ｓを確保し、火花と火災の発生回避及び／又は機械の損傷防止、またラインの停止回避等を図る。またこのブッシュ１３０は取付けリング８又は環状縁部７００に熔接等の固止、一体構造等も可能である。
【００４５】
図中２０はモータ、２１は出力軸、２２は筒状フランジ部９００に設けたモータ取付け板を示す。そして、この出力軸２１には羽根車５を固止する。尚、３０はケーシング１内の風路である。
【００４６】
この例におけるフランジ体９の取付け方法は、モータ２０と出力軸２１を取付けたフランジ体９の鍔状フランジ部９０１と取付けリング８との空間１０に、シール材１１と、防振手段１２及び／又は脱落防止手段１３を取付ける。このモータ２０と出力軸２１を取付けたフランジ体９をケーシング１の開口７より挿入し、取付け手段３１を介して固止する。その後、羽根車５及び／又はベルマウス４を取付ける。またケーシング１への挿入時に、羽根車５を予め固止すること、またベルマウス４を予め固止すること等もあり得る。工場の設置状態及び／又は工場での組付け等に適宜変更される。
【００４７】
そして、図７に示したブロアと工場に設置された集塵装置４０のフード４１等各種の設備（装置）との関係を示す模式図において、吸込み口２をフード４１の上面４１ａに開設した開口４２に設け、またその吐出口３を上面４１ａと同一方向に開口する。このような取付け構造であることから、モータ２０の振動が防振手段１２を介して遮断されており、ケーシング１及び／又は羽根車５と、そのベアリング（図示せず）には伝播しない構造となっている。また脱落防止手段１３を装備することで、駆動部の脱落防止を図る。これらの防振手段１２及び／又は脱落防止手段１３で、前述した従来の問題点を解消する。尚、その他の装置として、溶接装置の溶接ヒュームの排気ダクト等各種の設備も挙げられる。
【図面の簡単な説明】
【００４８】
【図１】図１は本発明の一例を示す一部欠截の正面図
【図２】図２は図１の断面図
【図３】図３は脱落防止手段の一例を示した拡大正面図
【図４】図４は防振手段の一例を示した拡大正面図
【図５】図５は従来のブロアの一例を示す正面図
【図６】図６は図５の断面図
【図７】図７はブロアと工場に設置された集塵装置のフード等各種の設備（装置）との関係を示す模式図
【符号の説明】
【００４９】
１          ケーシング
１００      背面側
２          吸込み口
３          吐出口
４          ベルマウス
５          羽根車
７          開口
７００      環状縁部
８          取付けリング
９          フランジ体
９００      筒状フランジ部
９０１      鍔状フランジ部
１０        空間
１１        シール材
１２        防振手段
１２０      弾性体
１２１      ナット
１２２      ボルト
１３        脱落防止手段
１３０      ブッシュ
１３１      ナット
１３２      ボルト
１３３      スペース
２０        モータ
２１      出力軸
２２      モータ取付け板
３０      風路
３１      取付け手段
４０      集塵装置
４１      フード
４１ａ    上面
４２      開口
Ｓ        隙間
【図１】
0004822771.tif 000002
【図２】
0004822771.tif 000003
【図３】
0004822771.tif 000004
【図４】
0004822771.tif 000005
【図５】
0004822771.tif 000006
【図６】
0004822771.tif 000007
【図７】
0004822771.tif 000008